(57)【特許請求の範囲】
【請求項１】
特定の記録ビットレート及びデータ形式で一の記録媒体に記録されたデータを、他の複数の記録媒体のいずれかに記録する記録装置において、
記録ビットレート及びデータ形式と記録先の記録媒体とを対応付けたテーブルと、
前記一の記録媒体に記録されたデータの記録ビットレート及びデータ形式夫々を特定する特定手段と、
該特定手段が特定した記録ビットレート及びデータ形式並びに前記テーブルに基づいて、記録先の単一の記録媒体を選択する選択手段と
を備えることを特徴とする記録装置。
【請求項２】
前記データ形式は、音声に係るデータの符号化形式を含む
ことを特徴とする請求項１に記載の記録装置。
【請求項３】
前記データ形式は、データのパケット化形式を含む
ことを特徴とする請求項１又は請求項２に記載の記録装置。
【請求項４】
前記選択手段が選択した記録先の記録媒体を表示する表示手段を備える
ことを特徴とする請求項１乃至請求項３のいずれか一つに記載の記録装置。
【請求項５】
記録先の記録媒体を受け付ける受付手段と、
該受付手段が受け付けた記録媒体に前記一の記録媒体に記録されたデータを記録する手段と
を備えることを特徴とする請求項１乃至請求項４のいずれか一つに記載の記録装置。
【発明の詳細な説明】
【技術分野】
【０００１】
本発明は、一の記録媒体に記録されたデータを他の記録媒体に記録するように構成してある記録装置に関する。
【背景技術】
【０００２】
従来のハードディスクレコーダは、ハードディスク（ＨＤ：Ｈａｒｄ  Ｄｉｓｋ）ドライブ、ＤＶＤ（Ｄｉｇｉｔａｌ  Ｖｅｒｓａｔｉｌｅ  Ｄｉｓｃ）ドライブ、ＢＤ（Ｂｌｕ―ｒａｙ  Ｄｉｓｃ）ドライブを備え、各記録媒体に記録されたビデオデータ又は音声データを複数ある他の記録媒体のいずれかに複製する複製機能を有している。
【特許文献１】特開２００１−９３２６３号公報
【発明の開示】
【発明が解決しようとする課題】
【０００３】
しかしながら、ＨＤ−ＤＶＤ（Ｈｉｇｈ  Ｄｅｆｉｎｉｔｉｏｎ  ＤＶＤ）のような次世代光ディスクが更に多数実用化され、ハードディスクレコーダによるデータの複製先の記録媒体が増加した場合、ハードディスクレコーダの使用者が複製先の記録媒体の選択に戸惑う虞がある。
【０００４】
本発明は、斯かる事情に鑑みてなされたものであり、その目的は、データの記録ビットレートと記録先の記録媒体とを対応付けたテーブルを備え、該テーブルと一の記録媒体に記録されているデータの記録ビットレートとに基づいて、記録先の記録媒体を選択するように構成することにより、使用者に代わって記録媒体を選択することができる記録装置を提供することにある。
【０００５】
本発明の他の目的は、データ形式と記録先の記録媒体とを対応付けたテーブルを備え、該テーブルと一の記録媒体に記録されているデータのデータ形式とに基づいて、記録先の記録媒体を選択するように構成することにより、使用者に代わって記録媒体を選択することができる記録装置を提供することにある。
【０００６】
本発明の他の目的は、音声データの符号化形式と記録先の記録媒体とを対応付けたテーブルを備え、該テーブルと一の記録媒体に記録されている音声のデータの符号化形式とに基づいて、記録先の記録媒体を選択するように構成することにより、使用者に代わって記録媒体を選択することができる記録装置を提供することにある。
【０００７】
本発明の他の目的は、データのパケット化形式と記録先の記録媒体とを対応付けたテーブルを備え、該テーブルと一の記録媒体に記録されているデータのパケット化形式とに基づいて、記録先の記録媒体を選択するように構成することにより、使用者に代わって記録媒体を選択することができる記録装置を提供することにある。
【０００８】
本発明の他の目的は、選択された記録先の記録媒体の種類を表示するように構成することにより、記録先として選択された記録媒体を使用者に通知することができる記録装置を提供することにある。
【０００９】
本発明の他の目的は、記録先の記録媒体の選択を受け付けるように構成することにより、記録先として選択された記録媒体、又は使用者が所望する記録媒体のいずれかに、データを記録することができる記録装置を提供することにある。
【課題を解決するための手段】
【００１０】
本発明に係る記録装置は、特定の記録ビットレート及びデータ形式で一の記録媒体に記録されたデータを、他の複数の記録媒体のいずれかに記録する記録装置において、記録ビットレート及びデータ形式と記録先の記録媒体とを対応付けたテーブルと、前記一の記録媒体に記録されたデータの記録ビットレート及びデータ形式夫々を特定する特定手段と、該特定手段が特定した記録ビットレート及びデータ形式並びに前記テーブルに基づいて、記録先の単一の記録媒体を選択する選択手段とを備えることを特徴とする。
【００１１】
本発明にあっては、特定手段が、記録元の記録媒体に記録されたデータの記録ビットレートを特定する。そして、選択手段は、特定された記録ビットレートと、テーブルとに基づいて、記録先の記録媒体を選択する。
例えば、一の記録媒体に記録されているデータの記録ビットレートが高い程、記憶容量が大きい他の記録媒体を複製先として選択することにより、記録ビットレートに応じた記録媒体を選択することができる。
【００１３】
本発明にあっては、特定手段が、記録元の記録媒体に記録されたデータのデータ形式を特定する。そして、選択手段は、特定されたデータ形式と、テーブルとに基づいて、記録先の記録媒体を選択する。
例えば、記録媒体に記録されるデータのデータ形式が規定されている場合、一の記録媒体に記録されているデータのデータ形式と適合する記録媒体を記録先として選択することにより、データ形式を変換することなく、効率的に一の記録媒体に記録されたデータを他の記録媒体に記録することができる。
【００１４】
本発明に係る記録装置は、前記データ形式が、音声に係るデータの符号化形式を含むことを特徴とする。
【００１５】
本発明にあっては、選択手段が記録元の記録媒体に記録された音声に係るデータの符号化形式と、テーブルとに基づいて、記録先の記録媒体を選択する。符号化形式には、音声に係るアナログ信号からデジタルのデータへの符号化、圧縮符号化等の形式が含まれる。
記録元の記録媒体に記録されているデータの符号化形式によって、データの記録ビットレートが異なるため、前記符号化形式によってデータの容量が異なる。従って、データの容量に応じた記録媒体を選択することができる。
【００１６】
本発明に係る記録装置は、前記データ形式が、データのパケット化形式を含むことを特徴とする。
【００１７】
本発明にあっては、選択手段が記録元の記録媒体に記録されたデータのパケット化形式と、テーブルとに基づいて、記録先の記録媒体を選択する。
記録媒体毎に、記録されるデータのパケット化形式が規定されている場合、データのパケット化形式が適合しない記録媒体に、該データを記録するとき、パケット化形式を変換する必要があるが、記録元の記録媒体に記録されているデータのパケット化形式によって、記録先の記録媒体を選択することにより、パケット化形式の変換を行わずにデータを記録媒体に記録することができる。
【００１８】
本発明に係る記録装置は、前記選択手段が選択した記録先の記録媒体を表示する表示手段を備えることを特徴とする。
【００１９】
本発明にあっては、記録先の記録媒体として選択された記録媒体の種類を報知することができる。
【００２０】
本発明に係る記録装置は、記録先の記録媒体を受け付ける受付手段と、該受付手段が受け付けた記録媒体に前記一の記録媒体に記録されたデータを記録する手段とを備えることを特徴とする。
【００２１】
本発明にあっては、受付手段が記録先の記録媒体を受け付ける。そして、受け付けた記録先の記録媒体、又は前記選択手段が選択した記録先の記録媒体に、一の記録媒体に記録されたデータを記録する。
【発明の効果】
【００２２】
本発明によれば、記録媒体に記録されているデータの記録ビットレートに基づいて、記録先の記録媒体を選択することができる。
例えば、ＤＶＤにデータを記録する場合、映像のデータは、インタレース方式で走査線数が５２５本の５２５ｉ、音声のデータは２チャンネルで記録されるという制限がある。
一方、デジタル放送では、プログレッシブ方式で走査線数が５２５本の５２５ｐ、１１２５ｉ、又は７５０ｐ等の高画質映像のデータが放送され、音声のデータは５．１チャンネルで放送されているものもある。つまり、ＤＶＤに記録されるデータの記録ビットレートより高ビットレートのデータが放送されている。
従って、１１２５ｉの映像のデータと、５．１チャンネルの音声のデータとを一旦ハードディスクに記録した後、品位を落とすことなく他の記録媒体に前記データを記録する場合、記録先として上述の制限のないＢＤを選択すべきである。
本発明によれば、記録ビットレートによって、記録されたデータに係る映像及び音声の品位を間接的に判定することができるため、映像及び音声の品位を落とすことなく、前記データを記録することができる記録媒体を選択することができる。
【００２３】
本発明によれば、記録媒体に記録されているデータのデータ形式に基づいて、記録先の記録媒体を選択することができる。
また、上述のように、記録媒体に記録されているデータに係る映像及び音声の品位を落とすことなく、前記データを記録することができる記録媒体を選択することができる。
【００２４】
本発明によれば、記録媒体に記録されている音声に係るデータの符号化形式に基づいて、記録先の記録媒体を選択することができる。
また、上述のように、記録媒体に記録されているデータに係る音声の品位を落とすことなく、前記データを記録することができる記録媒体を選択することができる。
【００２５】
本発明によれば、データのパケット化形式に基づいて、記録先の記録媒体を選択することができる。
また、上述のように、記録媒体に記録されているデータに係る音声の品位を落とすことなく、前記データを記録することができる記録媒体を選択することができる。
【００２６】
本発明によれば、データの記録先として選択された記録媒体を使用者に通知することができる。
【００２７】
本発明によれば、記録先として選択された記録媒体、又は使用者が所望する記録媒体のいずれかに、データを記録することができる。
【発明を実施するための最良の形態】
【００２８】
以下、本発明をその実施の形態を示す図面に基づいて詳述する。
（実施の形態１）
図１は、本発明の実施の形態１に係るハードディスクレコーダのブロック図、図２は、ハードディスクレコーダを遠隔操作する遠隔操作装置のブロック図である。
実施の形態１に係るハードディスクレコーダは、ハードディスク２５、ＤＶＤ−Ｒ、ＤＶＤ−ＲＷ、ＤＶＤ−ＲＡＭ、ＤＶＤ＋Ｒ等のデータ書込み可能なＤＶＤ２６、ＢＤ２７、又はＨＤ−ＤＶＤ２８に記録されたデータを、他の記録媒体に複製する複製機能を有している。
【００２９】
図中７０は、アンテナで受信したＲＦ信号を増幅し、選択されたチャンネルの信号を検波するデジタルチューナであり、デジタルチューナ７０は、検波した信号をデジタルのデータにＡＤ変換し、ＡＤ変換したデータを復調部７１に与える。検波するチャンネルは、制御部１から与えられる信号によって設定される。
【００３０】
デジタルチューナ７０から出力されたデータは、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式で変調されており、復調部７１は、前記データを、ＭＰＥＧ２ＴＳ形式のストリームデータに復調し、復調したストリームデータを分離部４３又は信号処理部３０に与える。
【００３１】
ＭＰＥＧ２ＴＳ形式のストリームデータは、複数のＴＳパケットから構成されていて、複数のＴＳパケットから、ビデオストリーム及び音声ストリームが復元される。
【００３２】
分離部４３は、ストリームデータからビデオストリーム及び音声ストリームに係るＴＳパケットを選択し、選択したＴＳパケットからなるビデオストリーム及び音声ストリームを、夫々圧縮伸張部５に与える。
【００３３】
圧縮伸張部５は、分離部４３から受けたビデオストリーム及び音声ストリームを、所定の圧縮伸張方式で復調し、復調したビデオストリームをＭＰＥＧ２の圧縮形式で圧縮し、音声ストリームを圧縮率が約２０分の１のＡＡＣ（Ａｄｖａｎｃｅｄ  Ａｕｄｉｏ  Ｃｏｄｉｎｇ）、又は圧縮率が約１０分の１のＡＣ３（Ａｕｄｉｏ  Ｃｏｄｅ  ｎｕｍｂｅｒ  ３）の音声圧縮形式によって圧縮する。そして、圧縮伸張部５は、圧縮したビデオストリーム及び音声ストリームを合成部４１に与える。
【００３４】
合成部４１は、圧縮伸張部５から受けたビデオストリーム及び音声ストリームを多重化したＭＰＥＧ２ＰＳ形式のストリームデータを生成し、生成したストリームデータを信号処理部３０に入力する。
【００３５】
信号処理部３０は、一時記憶用のメモリ３１を備えており、ストリームデータを記録及び再生する際に発生するエラーを訂正するためのエラー訂正符号をストリームデータに付加する回路を備えており、エラー訂正符号を付加したストリームデータをハードディスクドライブ２１、ＤＶＤドライブ２２、ＢＤドライブ２３又はＨＤ−ＤＶＤ２８に出力する。出力先のハードディスクドライブ２１、ＤＶＤドライブ２２、ＢＤドライブ２３、又はＨＤ−ＤＶＤドライブ２４の選択は、計時部１ａを内蔵したマイクロコンピュータからなる制御部１により制御されている。
【００３６】
ハードディスクドライブ２１は、信号処理部３０から出力されたストリームデータを変調する変調部、変調部が変調したストリームデータをハードディスク２５に書込むヘッド部を備えている。また、ハードディスクドライブ２１は、ヘッド部がハードディスク２５から読出したストリームデータを復調する復調部を備えており、復調部は、復調したストリームデータを信号処理部３０に入力する。
【００３７】
ＤＶＤドライブ２２は、信号処理部３０から出力されたストリームデータを８−１６方式で変調する変調部、変調したストリームデータをＤＶＤ２６に書込む光ビックアップ、及び光ビックアップが読み出したストリームデータを復調する復調部を備えている。復調部は、復調したストリームデータを信号処理部３０に入力する。
【００３８】
同様に、ＢＤドライブ２３及びＨＤ−ＤＶＤドライブ２４は、信号処理部３０から出力されたストリームデータを、ＢＤ２７及びＨＤ−ＤＶＤ２８の規格に対応した方式で変調する変調部、変調したストリームデータをＢＤ２７及びＨＤ−ＤＶＤ２８に書込む光ビックアップ、及び光ビックアップが読み出したストリームデータを復調する復調部を備えている。復調部は、復調したストリームデータを信号処理部３０に入力する。
【００３９】
ハードディスク２５、ＤＶＤ２６、ＢＤ２７、及びＨＤ−ＤＶＤ２８夫々の記憶容量は、例えば４００ＧＢ、片面４．７ＧＢ、片面２５ＧＢ、８．５ＧＢである。
【００４０】
また、制御部１には、液晶の表示部１０が設けられており、表示部１０は、制御部１から出力されるデータに基づいて、画像を表示する。
【００４１】
信号処理部３０は、ハードディスクドライブ２１、ＤＶＤドライブ２２、ＢＤドライブ２３又はＨＤ−ＤＶＤ２８からストリームデータが入力された場合、ストリームデータの誤り訂正処理を実行し、誤り訂正したストリームデータを分離部４２に出力する。
【００４２】
分離部４２は、信号処理部３０から出力されたストリームデータを、ビデオストリーム及び音声ストリームに分離し、分離したビデオストリーム及び音声ストリームを、圧縮伸張部５に与える。
圧縮伸張部５は、分離部４２から与えられたビデオストリーム及び音声ストリームを、伸張し、伸張したビデオストリームをＯＳＤ表示処理部８に出力し、伸張した音声ストリームをＤＡＣ６２ｂに出力する。
【００４３】
ＯＳＤ表示処理部８は、制御部１から出力される画像のデータに基づいて、該データの画像をビデオストリームの映像にＯＳＤ表示させたビデオストリームを生成し、生成したビデオストリームをＤＡＣ６２ａに出力する。
【００４４】
ＤＡＣ６２ａは、ＯＳＤ表示処理部８から出力されたビデオストリームをアナログのビデオ信号にＤＡ変換し、ＤＡ変換したビデオ信号をビデオ信号出力部７２ａに送り出す。
ビデオ信号出力部７２ａは、ＤＡＣ６２ａから送り出されたビデオ信号を外部の図示しない表示装置へ出力する。
【００４５】
ＤＡＣ６２ｂは、圧縮伸張部５から出力された音声ストリームをアナログの音声信号にＤＡ変換し、ＤＡ変換した音声信号を、音声信号出力部７２ｂに送り出す。音声信号出力部７２ｂは、ＤＡＣ６２ｂから送り出された音声信号を外部の図示しないスピーカへ出力する。
【００４６】
また、制御部１は、ハードディスクドライブ２１によるストリームデータの読み出し、及び他のＤＶＤドライブ２２、ＢＤドライブ２３、ＨＤ−ＤＶＤドライブ２４によるストリームデータの記録を制御することにより、ハードディスク２５に記録されたストリームデータをＤＶＤ２６、ＢＤ２７、又はＨＤ−ＤＶＤ２８に複製する複製処理を実行する機能を有している。
同様に、制御部１は、ＤＶＤ２６に記録されたストリームデータをハードディスク２５、ＢＤ２７若しくはＨＤ−ＤＶＤ２８へ、ＢＤ２７に記録されたストリームデータをハードディスク２５、ＨＤ−ＤＶＤ２８、若しくはＤＶＤ２６へ、又はＨＤ−ＤＶＤ２８に記録されたストリームデータをハードディスク２５、ＢＤ２７、又はＤＶＤ２６へ複製する複製処理を実行する機能を有している。
【００４７】
制御部１には、ハードディスクレコーダを操作する遠隔操作装置９０の発光部９０ｌが発する赤外光の信号を受光する受光部９１が設けられている。遠隔操作装置９０は、再生ボタン９０ａ、停止ボタン９０ｂ、ＨＤＤボタン９０ｃ、ＤＶＤボタン９０ｄ、ＢＤボタン９０ｅ、ＨＤ−ＤＶＤボタン９０ｆ、十字キー９０ｇ、決定ボタン９０ｈ、キャンセルボタン９０ｉ、ダビングボタン９０ｊ、タイトル表示ボタン９０ｋ等を備えており、各ボタンの操作に対応した信号を発光部９０ｌから赤外光で発信する。
【００４８】
ＨＤＤボタン９０ｃ、ＤＶＤボタン９０ｄ、ＢＤボタン９０ｅ、及びＨＤ−ＤＶＤ２８は、再生する記録媒体、即ちハードディスク２５、ＤＶＤ２６、ＢＤ２７、又はＨＤ−ＤＶＤ２８の選択、並びにストリームデータの複製先を選択するボタンであり、記録及び再生処理を停止している状態で、制御部１がＨＤＤボタン９０ｃの信号を受信した場合、再生対象がハードディスク２５であることを示すデータを記憶する。そして、制御部１は、再生対象がハードディスク２５であることを液晶の表示部１０に表示させる。同様に、ＤＶＤボタン９０ｄ、ＢＤボタン９０ｅ、ＨＤ−ＤＶＤ２８の信号を受信した場合、制御部１は、再生対象がＤＶＤ２６、ＢＤ２７、又はＨＤ−ＤＶＤ２８であることを示すデータを記憶し、表示部１０にその旨を表示させる。なお、制御部１は、処理開始の初期設定時に記録及び再生対象がハードディスク２５であることを示すデータを記憶している。
【００４９】
また、制御部１は、複製先の記録媒体を選択するためのテーブル１１を備えている。図３は、複製元の記録媒体と複製先の記録媒体とを、複製元のストリームデータの記録ビットレートに基づいて対応付けたテーブル１１の模式図である。
【００５０】
複製元がハードディスク２５であり、ハードディスク２５に記録されているストリームデータの記録ビットレートが２０Ｍｂｐｓ以上である場合、複製元のハードディスク２５と、複製先のＢＤ２７とが対応付けられている。同様に、ストリームデータの記録ビットレートが１０Ｍｂｐｓ以上２０Ｍｂｐｓ未満である場合、ハードディスク２５とＨＤ−ＤＶＤ２８とが対応付けられており、記録ビットレートが１０Ｍｂｐｓ未満である場合、ハードディスク２５とＤＶＤ２６とが対応付けられている。
また、複製元がＢＤ２７であり、ＢＤ２７に記録されているストリームデータの記録ビットレートが２０Ｍｂｐｓ以上である場合、ＢＤ２７とハードディスク２５とが対応付けられている。記録ビットレートが１０Ｍｂｐｓ以上２０Ｍｂｐｓ未満である場合、ＢＤ２７とＨＤ−ＤＶＤ２８とが対応付けられており、記録ビットレートが１０Ｍｂｐｓ未満である場合、ＢＤ２７とＤＶＤ２６とが対応付けられている。
更に、複製元がＨＤ−ＤＶＤ２８であり、ＨＤ−ＤＶＤ２８に記録されているストリームデータの記録ビットレートが２０Ｍｂｐｓ以上である場合、ＨＤ−ＤＶＤ２８とハードディスク２５とが対応付けられている。記録ビットレートが１０Ｍｂｐｓ以上２０Ｍｂｐｓ未満である場合、ＨＤ−ＤＶＤ２８とＢＤ２７とが対応付けられており、記録ビットレートが１０Ｍｂｐｓ未満である場合、ＨＤ−ＤＶＤ２８とＤＶＤ２６とが対応付けられている。
更にまた、複製元がＤＶＤ２６であり、ＤＶＤ２６に記録されているストリームデータの記録ビットレートが２０Ｍｂｐｓ以上である場合、ＤＶＤ２６とハードディスク２５とが対応付けられている。記録ビットレートが１０Ｍｂｐｓ以上２０Ｍｂｐｓ未満である場合、ＤＶＤ２６とＢＤ２７とが対応付けられており、記録ビットレートが１０Ｍｂｐｓ未満である場合、ＤＶＤ２６とＨＤ−ＤＶＤ２８とが対応付けられている。
【００５１】
図４は、ストリームデータの複製に係る制御部１の処理手順を示すフローチャートである。
ストリームデータの複製の指示を受けた場合、制御部１は、複製元の記録媒体を特定する（ステップＳ１）。
制御部１は、タイトル表示ボタン９０ｋの信号を受信した場合、再生対象として選択されている記録媒体に記録されているストリームデータのタイトル名一覧と、複製対象を選択するためのカーソルとをＯＳＤ表示処理部８にＯＳＤ表示させる。
そして、十字キー９０ｇの信号を受信した場合、カーソルを移動させ、ダビングボタン９０ｊの信号を受信した場合、制御部１は、カーソルで選択されているストリームデータを複製対象として特定する。また、該ストリームデータが記録されている記録媒体を複製元の記録媒体として特定する。
【００５２】
そして、制御部１は、複製対象として選択されたストリームデータの記録ビットレートを特定する（ステップＳ２）。例えばＭＰＥＧ２ＴＳ形式でストリームデータが記録されている場合、ＭＰＥＧ２ＴＳ形式のストリームデータを構成する各パケットのヘッダに記録されているタイムスタンプ情報に基づいて、一定時間に記録されたパケット数を特定する。各パケットのデータ量は、１８８バイトであるため、制御部１は、特定したパケット数に基づいて、ストリームデータの記録ビットレートを特定することができる。
【００５３】
次いで、制御部１は、特定した記録ビットレート及びテーブル１１に基づいて、複製先の記録媒体を選択する（ステップＳ３）。
【００５４】
そして、制御部１は、選択した複製先の記録媒体をＯＳＤ表示処理部８に表示させ（ステップＳ４）、複製先の記録媒体の選択を受け付ける（ステップＳ５）。
ＨＤＤボタン９０ｃの信号を受信した場合、制御部１は、複製先の記録媒体がハードディスク２５であることをＯＳＤ表示処理部８に表示させる。同様に、ＤＶＤボタン９０ｄ、ＢＤボタン９０ｅ、又はＨＤ−ＤＶＤ２８の信号を受信した場合、制御部１は、複製先の記録媒体がＤＶＤ２６、ＢＤ２７又はＨＤ−ＤＶＤ２８であることをＯＳＤ表示処理部８に表示させる。
【００５５】
そしてまた、制御部１は、キャンセルボタン９０ｉの信号を受信したか否かを判定する（ステップＳ６）。キャンセルボタン９０ｉの信号を受信したと判定した場合（ステップＳ６：ＹＥＳ）、制御部１は、処理を終える。
【００５６】
キャンセルボタン９０ｉの信号を受信していないと判定した場合（ステップＳ６：ＮＯ）、制御部１は、決定ボタン９０ｈの信号を受信したか否かを判定する（ステップＳ７）。
【００５７】
決定ボタン９０ｈの信号を受信したと判定した場合（ステップＳ７：ＹＥＳ）、制御部１は、複製対象のストリームデータを、ステップＳ５で受け付けた記録媒体に複製する（ステップＳ８）。決定ボタン９０ｈの信号を受信していないと判定した場合（ステップＳ７：ＮＯ）、制御部１は、処理をステップＳ５へ戻す。
【００５８】
実施の形態１に係るハードディスクレコーダにあっては、ハードディスクレコーダの使用者に代わり、制御部１がストリームデータの記録ビットレートに基づいて、複製先の記録媒体を選択することができる。
例えば、ハードディスク２５に２０Ｍｂｐｓ以上のストリームデータが記録されている場合、つまり、デジタル放送におけるハイビジョンのストリームデータが記録されている場合、複製先の記録媒体としてＢＤ２７を選択することにより、前記ストリームデータに係る映像又は音声の品位を落とすことなく、ストリームデータを複製することができる。
【００５９】
なお、実施の形態にあっては、ハードディスクドライブ、ＢＤドライブ、ＨＤ−ＤＶＤドライブ、ＤＶＤドライブを備えているが、これに限らず、ＣＤ−ＲＯＭドライブ、半導体メモリの記録再生部等を備えても良い。
【００６０】
また、複製対象として、放送された映像のストリームデータを説明したが、これに限らず、映像に係るデータを含まない音声データを複製対象としても良い。
【００６１】
更に、複製先の判定基準として、２０Ｍｂｐｓ、及び１０Ｍｂｐｓの記録ビットレートを採用したが、これに限らず、記録媒体の容量に応じた他の記録ビットレートの基準を用いて、複製先を判定するようにしても良い。
【００６２】
更にまた、記録ビットレートの基準を受け付けるように構成しても良い。この場合、使用者は、適宜、複製先の記録ビットレートに係る判断基準を変更することができる。
【００６３】
更にまた、選択された記録媒体をＯＳＤ表示するように構成しているが、複製先の記録媒体を示す発光部を、本体部の正面側に備えても良い。
【００６４】
（実施の形態２）
実施の形態２に係るハードディスクレコーダは、実施の形態１に係るハードディスクレコーダと同様のデジタルチューナ７０、復調部７１、圧縮伸張部５、合成部４１、信号処理部３０、ハードディスクドライブ２１、ＤＶＤドライブ２２、ＢＤドライブ２３、ＨＤ−ＤＶＤドライブ２４、ＯＳＤ表示処理部８等を備えている。
実施の形態２に係るハードディスクレコーダは、複製元の記録媒体に記録されているストリームデータの音声圧縮形式に基づいて、複製先の記録媒体を選択する機能を有している。
【００６５】
図５は、複製元の記録媒体と複製先の記録媒体とを、複製元のストリームデータの音声圧縮形式（符号化形式）に基づいて対応付けたテーブル１１１の模式図である。
【００６６】
複製元がハードディスク２５であり、ハードディスク２５に記録されているストリームデータがＡＣ３の音声圧縮形式で圧縮されている場合、つまり、ストリームデータを構成する音声ストリームがＡＣ３の音声圧縮形式で圧縮されている場合、複製元のハードディスク２５と、複製先のＢＤ２７とが対応付けられている。ストリームデータが５．１チャンネルのＡＡＣで圧縮されている場合、ハードディスク２５とＨＤ−ＤＶＤ２８とが対応付けられており、２チャンネルのＡＡＣで圧縮されている場合、ハードディスク２５とＤＶＤ２６とが対応付けられている。
また、複製元がＢＤ２７であり、ＢＤ２７に記録されているストリームデータがＡＣ３の音声圧縮形式で圧縮されている場合、ＢＤ２７とハードディスク２５とが対応付けられている。ストリームデータが５．１チャンネルのＡＡＣで圧縮されている場合、ＢＤ２７とＨＤ−ＤＶＤ２８とが対応付けられており、２チャンネルのＡＡＣで圧縮されている場合、ＢＤ２７とＤＶＤ２６とが対応付けられている。
更に、複製元がＨＤ−ＤＶＤ２８であり、ＨＤ−ＤＶＤ２８に記録されているストリームデータがＡＣ３の音声圧縮形式で圧縮されている場合、ＨＤ−ＤＶＤ２８とハードディスク２５とが対応付けられている。ストリームデータが５．１チャンネルのＡＡＣで圧縮されている場合、ＨＤ−ＤＶＤ２８とＢＤ２７とが対応付けられており、２チャンネルのＡＡＣで圧縮されている場合、ＨＤ−ＤＶＤ２８とＤＶＤ２６とが対応付けられている。
更にまた、複製元がＤＶＤ２６であり、ＤＶＤ２６に記録されているストリームデータがＡＣ３の音声圧縮形式で圧縮されている場合、ＤＶＤ２６とハードディスク２５とが対応付けられている。ストリームデータが５．１チャンネルのＡＡＣで圧縮されている場合、ＤＶＤ２６とＢＤ２７とが対応付けられており、２チャンネルのＡＡＣで圧縮されている場合、ＤＶＤ２６とＨＤ−ＤＶＤ２８とが対応付けられている。
【００６７】
図６は、実施の形態２におけるストリームデータの複製に係る制御部１の処理手順を示すフローチャートである。ストリームデータの複製の指示を受けた場合、制御部１は、複製元の記録媒体を特定する（ステップＳ１１）。
【００６８】
そして、制御部１は、複製対象として選択されたストリームデータのヘッダ情報に基づいて、ストリームデータの音声圧縮形式を特定する（ステップＳ１２）。
【００６９】
次いで、制御部１は、ストリームデータの音声圧縮形式及びテーブル１１１に基づいて、複製先の記録媒体を選択する（ステップＳ１３）。
【００７０】
ステップＳ１３の処理を終えた場合、制御部１は、複製先の表示、受付、及び複製の実行に関する図４のステップＳ４乃至ステップＳ８と同様のステップＳ１４乃至ステップＳ１８の処理を実行する。
【００７１】
実施の形態２に係るハードディスクレコーダの他の構成、作用及び効果は、実施の形態１に係るハードディスクレコーダと同様であるため、対応する箇所には同様の符号を付してその詳細な説明を省略する。
【００７２】
実施の形態２に係るハードディスクレコーダにあっては、ハードディスクレコーダの使用者に代わり、制御部１が音声に係るストリームデータの音声圧縮形式に基づいて、複製先の記録媒体を選択することができる。
例えば、ハードディスク２５に５．１チャンネルのストリームデータが記録されている場合、複製先の記録媒体としてＨＤ−ＤＶＤ２８を選択することにより、前記ストリームデータに係る音声の品位を落とすことなく、ストリームデータを複製することができる。
【００７３】
実施の形態２にあっては、音声に係る音声圧縮形式のみに基づいて、複製先の記録媒体を選択するように構成しているが、音声圧縮形式及び記録ビットレート夫々に基づいて、複製先の記録媒体を選択するように構成しても良い。
【００７４】
（実施の形態３）
実施の形態３に係るハードディスクレコーダは、実施の形態１に係るハードディスクレコーダと同様のデジタルチューナ７０、復調部７１、圧縮伸張部５、合成部４１、信号処理部３０、ハードディスクドライブ２１、ＤＶＤドライブ２２、ＢＤドライブ２３、ＨＤ−ＤＶＤドライブ２４、ＯＳＤ表示処理部８等を備えている。
実施の形態３に係るハードディスクレコーダは、複製元の記録媒体に記録されているストリームデータのパケット化形式又はストリームデータの記録ビットレートに基づいて、複製先の記録媒体を選択するように構成されている。
【００７５】
図７は、複製元の記録媒体と複製先の記録媒体とを、複製元のストリームデータのパケット化形式又は記録ビットレートに基づいて対応付けた第１及び第２テーブル２１１ａ，２１１ｂの模式図である。
【００７６】
図７（ａ）は、ストリームデータのパケット化形式に基づく第１テーブル２１１ａである。
複製元がハードディスク２５であり、ハードディスク２５に記録されているストリームデータのパケット化形式がＭＰＥＧ２ＴＳ、記録ビットレートが２０Ｍｂｐｓ以上である場合、複製元のハードディスク２５と、複製先のＢＤ２７とが対応付けられている。ストリームデータのパケット化形式がＭＰＥＧ２ＴＳ、記録ビットレートが２０Ｍｂｐｓ未満である場合、ハードディスク２５とＨＤ−ＤＶＤ２８とが対応付けられており、ストリームデータのパケット化形式がＭＰＥＧ２ＰＳである場合、ハードディスク２５とＤＶＤ２６とが対応付けられている。
また、ＢＤ２７に記録されているストリームデータのパケット化形式がＭＰＥＧ２ＴＳ、記録ビットレートが２０Ｍｂｐｓ以上である場合、複製元のＢＤ２７と、複製先のハードディスク２５とが対応付けられている。ストリームデータのパケット化形式がＭＰＥＧ２ＴＳ、記録ビットレートが２０Ｍｂｐｓ未満である場合、ＢＤ２７とＨＤ−ＤＶＤ２８とが対応付けられており、ストリームデータのパケット化形式がＭＰＥＧ２ＰＳである場合、ＢＤ２７とＤＶＤ２６とが対応付けられている。
更に、ＨＤ−ＤＶＤ２８に記録されているストリームデータのパケット化形式がＭＰＥＧ２ＴＳ、記録ビットレートが２０Ｍｂｐｓ以上である場合、複製元のＨＤ−ＤＶＤ２８と、複製先のハードディスク２５とが対応付けられている。ストリームデータのパケット化形式がＭＰＥＧ２ＴＳ、記録ビットレートが２０Ｍｂｐｓ未満である場合、ＨＤ−ＤＶＤ２８とＢＤ２７とが対応付けられており、ストリームデータのパケット化形式がＭＰＥＧ２ＰＳである場合、ＨＤ−ＤＶＤ２８とＤＶＤ２６とが対応付けられている。
【００７７】
図７（ｂ）は、ストリームデータの記録ビットレートに基づく第２テーブル２１１ｂである。
複製元がＤＶＤ２６であり、ＤＶＤ２６に記録されているストリームデータの記録ビットレートが２０Ｍｂｐｓ以上である場合、ＤＶＤ２６とハードディスク２５とが対応付けられている。記録ビットレートが１０Ｍｂｐｓ以上２０Ｍｂｐｓ未満である場合、ＤＶＤ２６とＢＤ２７とが対応付けられており、記録ビットレートが１０Ｍｂｐｓ未満である場合、ＤＶＤ２６とＨＤ−ＤＶＤ２８とが対応付けられている。
【００７８】
図８は、実施の形態３におけるストリームデータの複製に係る制御部１の処理手順を示すフローチャートである。ストリームデータの複製の指示を受けた場合、制御部１は、複製元の記録媒体を特定する（ステップＳ２１）。
【００７９】
次いで、制御部１は、複製元がＤＶＤ２６であるか否かを判定する（ステップＳ２２）。複製元がＤＶＤ２６であると判定した場合（ステップＳ２２：ＹＥＳ）、制御部１は、複製対象として選択されたストリームデータの記録ビットレートを特定する（ステップＳ２３）。
【００８０】
そして、制御部１は、ストリームデータの記録ビットレート及び第２テーブル２１１ｂに基づいて、複製先の記録媒体を選択する（ステップＳ２４）。
【００８１】
複製元がＤＶＤ２６でないと判定した場合（ステップＳ２２：ＮＯ）、制御部１は、複製対象として選択されたストリームデータのヘッダ情報に基づいて、ストリームデータのパケット化形式及び記録ビットレートを特定する（ステップＳ２５）。
【００８２】
そして、制御部１は、ストリームデータのパケット化形式、記録ビットレート及び第１テーブル２１１ａに基づいて、複製先の記録媒体を選択する（ステップＳ２６）。
【００８３】
ステップＳ２４又はステップＳ２６の処理を終えた場合、制御部１は、複製先の表示、受付、及び複製の実行に関する図４のステップＳ４乃至ステップＳ８と同様のステップＳ２７乃至ステップＳ３１の処理を実行する。
【００８４】
実施の形態３に係るハードディスクレコーダの他の構成、作用及び効果は、実施の形態１に係るハードディスクレコーダと同様であるため、対応する箇所には同様の符号を付してその詳細な説明を省略する。
【００８５】
実施の形態３に係るハードディスクレコーダにあっては、ハードディスクレコーダの使用者に代わり、制御部１がストリームデータのパケット化形式又は記録ビットレート基づいて、複製先の記録媒体を選択することができる。
【００８６】
特に、ＤＶＤ２６に記録されるストリームデータのパケット化形式は、ＭＰＥＧ２ＰＳに規定されており、複製元のストリームデータのパケット化形式がＭＰＥＧ２ＰＳの場合、複製先の記録媒体としてＤＶＤ２６を選択し、複製元のストリームデータのパケット化形式がＭＰＥＧ２ＴＳの場合、複製先の記録媒体としてハードディスク２５、又はＢＤ２７等を選択するように構成されている。従って、パケット化形式に基づいて複製先を選択しないハードディスクレコーダに比べて、パケット化形式の変換が不要な記録媒体を選択することができ、ストリームデータの複製をより効率的に行うことができる。
【図面の簡単な説明】
【００８７】
【図１】本発明の実施の形態１に係るハードディスクレコーダのブロック図である。
【図２】ハードディスクレコーダを遠隔操作する遠隔操作装置のブロック図である。
【図３】複製元の記録媒体と複製先の記録媒体とを、複製元のストリームデータの記録ビットレートに基づいて対応付けたテーブルの模式図である。
【図４】ストリームデータの複製に係る制御部の処理手順を示すフローチャートである。
【図５】複製元の記録媒体と複製先の記録媒体とを、複製元のストリームデータの音声圧縮形式（符号化形式）に基づいて対応付けたテーブルの模式図である。
【図６】実施の形態２におけるストリームデータの複製に係る制御部の処理手順を示すフローチャートである。
【図７】複製元の記録媒体と複製先の記録媒体とを、複製元のストリームデータのパケット化形式又は記録ビットレートに基づいて対応付けた第１及び第２テーブルの模式図である。
【図８】実施の形態３におけるストリームデータの複製に係る制御部の処理手順を示すフローチャートである。
【符号の説明】
【００８８】
１  制御部
５  圧縮伸長部
８  ＯＳＤ表示処理部
１０  表示部
１１  テーブル
２１  ハードディスクドライブ
２２  ＤＶＤドライブ
２３  ＢＤドライブ
２４  ＨＤ−ＤＶＤドライブ
２５  ハードディスク
２６  ＤＶＤ
２７  ＢＤ
２８  ＨＤ−ＤＶＤ
３０  信号処理部
７０  デジタルチューナ
７１  復調部
９０  遠隔操作装置
【図１】
0004397365.tif 000002
【図２】
0004397365.tif 000003
【図３】
0004397365.tif 000004
【図４】
0004397365.tif 000005
【図５】
0004397365.tif 000006
【図６】
0004397365.tif 000007
【図７】
0004397365.tif 000008
【図８】
0004397365.tif 000009